(57)【要約】      （修正有）【課題】ひさしのある建物に対しても、ワイヤー引張方式でのソーラーパネル取付を可能とする保護管体を提供する。【解決手段】その中央を鈍角に折曲してなる上部主管１と下部主管５を各々設け、各主管の一部外面に、スリットを有する調整板を該管体に対し対称位置に各々固着し、一方、スリットを有する添板を各々設けるとともに、上部主管下部に内管を露出させて設け、該内管を下部主管に挿入するとともに、添板を各スリット上に位置させ、該スリットを挿通するボルトとこのボルトに螺合するナットにて、上部主管と下部主管相互の位置調整が可能となるよう構成したことを特徴とする。【選択図】図３
0003164712.tif 000002
【実用新案登録請求の範囲】
【請求項１】
その中央を鈍角に折曲してなる上部主管と下部主管を各々設け、各主管の一部外面に、スリットを有する調整板を該管体に対し対称位置に各々固着し、一方、スリットを有する添板を各々設けるとともに、上部主管下部に内管を露出させて設け、該内管を下部主管に挿入するとともに、添板を各スリット上に位置させ、該スリットを挿通するボルトとこのボルトに螺合するナットにて、上部主管と下部主管相互の位置調整が可能となるよう構成したことを特徴とするソーラーパネル設置用保護管体。
【請求項２】
平行な両端部を有する折曲管体よりなる折曲主管を設けて、該主管を保護管体として用いることを特徴とするソーラーパネル設置用保護管体。
【請求項３】
管体の両端を同方向に折曲するとともに、その上部と下部を同一軸芯位置となるよう形成してなるソーラーパネル設置用保護管体。
【考案の詳細な説明】
【技術分野】
【０００１】  この考案は、ワイヤー固定式によるソーラーパネル設置時にワイヤー保護のために用いる保護管体に関する。
【背景技術】
【０００２】  従来からのソーラーパネル設置は、建物屋根にビス止めする方法が一般的であり、本案にて示すようなワイヤー固定方式に使用するための保護管体は見あたらない。
【考案の開示】
【考案が解決しようとする課題】
【０００３】  ソーラーパネルはその大半は建物屋根にビスにて取り付けるが、雨漏り等の問題があった。これを避けるために、ワイヤー固定による新方式のソーラーパネル取付手段を出願した。（特願２００９−１５９２９１号）この出願はひさしのない建物を想定したものである。上記のごとく従来のソーラーパネル取付工法には難点があるため、図１２にて示すごとく、ワイヤー固定による取付工法を出願したのであるが、ひさしのある建物の場合は、ひさしと壁面との間に段差が生じるために、これを調整する必要があり、今回、ひさしのある建物へのソーラーパネル取付時に使用する新規なる保護管体を提供せんとするものである。
【課題を解決するための手段】
【０００４】  課題を解決する手段として本案は、以下の構成とした。
すなわち、その中央を鈍角に折曲してなる上部主管と下部主管を各々設け、各主管の一部外面に、スリットを有する調整板を該管体に対し対称位置に各々固着し、一方、スリットを有する添板を各々設けるとともに、上部主管下部に内管を露出させて設け、該内管を下部主管に挿入するとともに、添板を各スリット上に位置させ、該スリットを挿通するボルトとこのボルトに螺合するナットにて、上部主管と下部主管相互の位置調整が可能となるよう構成する。本案は以上の構成よりなるソーラーパネル設置用保護管体である。
【考案の効果】
【０００５】  本案は以下の効果を有する。
１．折曲管体を用いることにて、ひさし部分への穿孔を不要とした保護管体設置ができる。
２．折曲管体を二分割するとともに、該管体相互位置のアジャストを可能に構成することにて、壁面に対するひさしの張り出し距離変化に対応して設けることができる。
【考案を実施するための最良の形態】
【０００６】  以下、本考案の実施形態について説明する。
これはひさしと壁面との段差に対応して、ひさしに穿孔せずにワイヤーを通す方式である。図において、１はその中央を鈍角に折曲した金属管による上部主管で、折曲個所の管体外面には、スリット２を有する平板による調整板３が管体に対し対称位置に各々固着される。また、折曲管体内面には適当長の内管４が露出して固着される。この内管外径は主管内径よりわずかに小さく形成される。５は上部主管と近似形の下部主管であるが、内管は具備されない。６は添板で、スリットを有する細長板体である。これらの各部は以下のごとく組み合わせ固定される。まず、上部主管下方の内管を下部主管内に挿入し、各主管双方のスリット上に添板を位置させ、スリットを介してボルトとナットにて固定する。使用時は適宜部材にて図３のごとく折曲管体上部と下部を建物ひさしと壁面に取り付ける。
ボルトとナットをゆるめることにて、互いの主管位置調整が可能となるので、取り付けようとする建物の状況に対応することができる。
図４は主管を、平行な両端を有する折曲管体１０を用いたもので、前例からアジャスト機能を除いたものである。図５は窓枠の段差を回避するための細折曲管体２０を用いたもので、管体の両端近傍を同方向に折曲して形成される。【０００７】  以上、本案について記したが、本案はワイヤーによるソーラーパネル取付方式におけるワイヤー保護と美感向上のために発案されたものであり、前記出願のより有効な利用に寄与するものである。既述のように、従来のソーラーパネル設置法は、屋根上にビス等にて固定する方式のために、ときにはその取付個所から雨水が屋内に侵入して雨漏り等の被害を被るものであったが、これに対する有効な対策が見あたらないのが現状である。
それがためにソーラーパネル設置に対して不安に思う人もおり、これを解決するべく、ワイヤーによるソーラーパネル設置という画期的手段を出願した。
しかし、建物にはひさし部分を有するものも多く見受けられ、また建物は視認しやすいものであるため、ワイヤー保護のみならず視覚上の良好性をも考慮した手段を得るべく努力した結果、本案の発案となったのである。なお、既述の例では、管体を金属管としたが、耐久性を満足するものであれば、合成樹脂管等を用いて製作してもよい。また、本案例示に用いた支持部材は、例示以外の任意な形状と構造のものが使用できる。
以上のごとく、本案にてワイヤー等を用いたソーラーパネル設置手段に有効なる保護管体を得ることができる。
【図面の簡単な説明】
【０００９】
【図１】  本考案の組立説明図
【図２】  本考案の組立完了図
【図３】  本考案の使用説明図
【図４】  本考案の他例説明図
【図５】  本考案の他例説明図
【図６】  ソーラーパネル設置図（特願２００９−１５９２９１・既出願）
【符号の説明】
【００１０】  １  上部主管
２  スリット
３  調整板
４  内管
５  下部主管
６  添板
１０  折曲管体
２０  細折曲管体
【図１】
0003164712.tif 000003
【図２】
0003164712.tif 000004
【図３】
0003164712.tif 000005
【図４】
0003164712.tif 000006
【図５】
0003164712.tif 000007
【図６】
0003164712.tif 000008
【手続補正書】
【提出日】平成22年9月8日(2010.9.8)
【手続補正１】
【補正対象書類名】実用新案登録請求の範囲
【補正対象項目名】全文
【補正方法】変更
【補正の内容】
【実用新案登録請求の範囲】
【請求項１】
その中央を鈍角に折曲してなる上部主管と下部主管を各々設け、各主管の一部外面に、スリットを有する調整板を該管体に対し対称位置に各々固着し、一方、スリットを有する添板を各々設けるとともに、上部主管下部に内管を露出させて設け、該内管を下部主管に挿入するとともに、添板を各スリット上に位置させ、該スリットを挿通するボルトとこのボルトに螺合するナットにて、上部主管と下部主管相互の位置調整が可能となるよう構成したことを特徴とするソーラーパネル設置用保護管体。